【手続補正書】
【提出日】平成20年9月25日(2008.9.25)
【手続補正１】
【補正対象書類名】明細書
【補正対象項目名】特許請求の範囲
【補正方法】変更
【補正の内容】
【特許請求の範囲】
【請求項１】  １９００度Ｆ超の温度にある溶融材料を繊維化するブッシングであって、
端壁と、
側壁と、
前記側壁及び前記端壁に取着されていて、少なくとも４つの内部コーナーを有する箱様の形状を形成しているオリフィス板又はチップ板と、
前記オリフィス板又は前記チップ板を支持するために、前記側壁と前記オリフィス板又は前記チップ板の頂面とに溶接されている支持構造体と、
前記支持構造体の上方において前記ブッシング内に装着されているスクリーンと、
交差している又は交わっている複数の内側の支持体を有する内部支持構造体と、を備え、
交差している前記支持体間の各交差部における角度のうちの２つは、約１１０度よりも大きく、且つ、前記角度のうちの２つは、約８０度よりもかなり小さいことを特徴とするブッシング。
【請求項２】  前記支持構造体が、菱形であると共に、前記側壁に取着されている請求項１のブッシング。
【請求項３】  前記菱形の支持構造体の一部である支持体が、前記ブッシングの前記内部コーナーに入っている請求項２のブッシング。
【請求項４】  スクリーンが、前記側壁及び/又は前記端壁に取着されていると共に、内部の前記菱形の支持構造体の頂部の少なくとも一部の上に置かれており、
前記一部は、前記支持構造体を構成している支持体の頂部の複数の交差部が入っている列を少なくとも含んでいる、前記ブッシングの長さに沿う中央部分である請求項２のブッシング。
【請求項５】  スクリーンが、前記側壁及び/又は前記端壁に取着されていると共に、内部の前記菱形の支持構造体の頂部の少なくとも一部の上に置かれており、
前記一部は、前記支持構造体を構成している支持体の頂部の複数の交差部が入っている列を少なくとも含んでいる、前記ブッシングの長さに沿う中央部分である請求項３のブッシング。
【請求項６】  内部の前記菱形の支持構造体が、前記側壁及び前記端壁の両方に取着されており、
前記菱形の支持構造体の部品である支持体が、前記ブッシングの前記内部コーナーに入っている請求項４のブッシング。
【請求項７】  前記角度のうちの２つが、約４０〜８０度の範囲内にあり、且つ、各内側支持体が、別の平行な内側支持体から約４インチ以内にある請求項３のブッシング。
【請求項８】  前記角度のうちの２つが、約４０〜８０度の範囲内にあり、且つ、各内側支持体が、別の平行な内側支持体から約４インチ以内にある請求項４のブッシング。
【請求項９】  前記角度のうちの２つが、約４５〜７５度の範囲内にあり、且つ、各内側支持体が、別の平行な内側支持体から約２インチ以内にある請求項２のブッシング。
【請求項１０】  前記角度のうちの２つが、約４５〜７５度の範囲内にあり、且つ、各内側支持体が、別の平行な内側支持体から約２インチ以内にある請求項３のブッシング。
【請求項１１】  前記角度のうちの２つが、約４５〜７５度の範囲内にあり、且つ、各内側支持体が、別の平行な内側支持体から約３インチ以内にある請求項４のブッシング。
【請求項１２】  前記角度のうちの２つが、約５０〜７０度の範囲内にあり、且つ、各内側支持体が、別の平行な内側支持体から約２インチ以内にある請求項４のブッシング。
【請求項１３】  前記角度のうちの２つが、約５０〜７０度の範囲内にあり、且つ、各内側支持体が、別の平行な内側支持体から約３インチ以内にある請求項５のブッシング。
【請求項１４】  前記角度のうちの２つが、約５０〜７０度の範囲内にあり、且つ、各内側支持体が、別の平行な内側支持体から約２インチ以内にある請求項６のブッシング。
【請求項１５】  前記角度のうちの２つが、約５５〜６５度の範囲内にあり、且つ、各内側支持体が、別の平行な内側支持体から約２インチ以内にある請求項５のブッシング。
【請求項１６】  １９００度Ｆ超の温度にある溶融材料を繊維化する方法であって、
前記溶接材料を、ブッシングを通して進ませる工程を備え、
前記ブッシングは、
端壁と、
側壁と、
前記側壁及び前記端壁に取着されていて、少なくとも４つの内部コーナーを有する箱様の形状を形成しているオリフィス板又はチップ板と、
前記オリフィス板又は前記チップ板を支持するために、前記側壁と前記オリフィス板又は前記チップ板の頂面とに溶接されている内側支持体と、
前記内側支持体の上方において前記ブッシング内に装着されているスクリーンと、
構造体を形成している内部支持体と、を備え、
前記構造体は、交差している又は交わっている複数の内側の支持体を有し、
交差している前記支持体間の各交差部における角度のうちの２つは、約１１０度よりも大きく、且つ、前記角度のうちの２つは、約８０度よりもかなり小さいことを特徴とする方法。
【請求項１７】  内側の前記支持構造体が、菱形であると共に、前記側壁に取着されている請求項１６の方法。
【請求項１８】  前記菱形の支持構造体の一部である内側支持体が、前記ブッシングの前記内部コーナーの各々に入っている請求項１７の方法。
【請求項１９】  スクリーンが、前記側壁及び/又は前記端壁に取着されていると共に、内部の前記菱形の支持構造体の頂部の少なくとも一部の上に置かれており、
前記一部は、前記支持構造体を構成している内側支持体の頂部の複数の交差部が入っている列を少なくとも含んでいる、前記ブッシングの長さに沿う中央部分である請求項１７の方法。
【請求項２０】  スクリーンが、前記側壁及び/又は前記端壁に取着されていると共に、内部の前記菱形の支持構造体の頂部の少なくとも一部の上に置かれており、
前記一部は、前記支持構造体を構成している支持体の頂部の複数の交差部が入っている列を少なくとも含んでいる、前記ブッシングの長さに沿う中央部分である請求項１８の方法。
【請求項２１】  内部の前記菱形の支持構造体が、前記側壁及び前記端壁の両方に取着されており、且つ、前記菱形の支持構造体の一部である支持体が、前記ブッシングの前記内部コーナーに入っている請求項１９の方法。
【請求項２２】  前記角度のうちの２つが、約４０〜８０度の範囲内にあり、且つ、各内側支持体が、別の平行な内側支持体から約４インチ以内にある請求項１８の方法。
【請求項２３】  前記角度のうちの２つが、約４０〜８０度の範囲内にあり、且つ、各内側支持体が、別の平行な内側支持体から約４インチ以内にある請求項１９の方法。
【請求項２４】  前記角度のうちの２つが、約４５〜７５度の範囲内にあり、且つ、各内側支持体が、別の平行な内側支持体から約３インチ以内にある請求項１７の方法。
【請求項２５】  前記角度のうちの２つが、約４５〜７５度の範囲内にあり、且つ、各内側支持体が、別の平行な内側支持体から約３インチ以内にある請求項１８の方法。
【請求項２６】  前記角度のうちの２つが、約４５〜７５度の範囲内にあり、且つ、各内側支持体が、別の平行な内側支持体から約４インチ以内にある請求項１９の方法。
【請求項２７】  前記角度のうちの２つが、約５０〜７０度の範囲内にあり、且つ、各内側支持体が、別の平行な内側支持体から約３インチ以内にある請求項１７の方法。
【請求項２８】  前記角度のうちの２つが、約５０〜７０度の範囲内にあり、且つ、各内側支持体が、別の平行な内側支持体から約３インチ以内にある請求項１８の方法。
【請求項２９】  前記角度のうちの２つが、約５０〜７０度の範囲内にあり、且つ、各内側支持体が、別の平行な内側支持体から約３インチ以内にある請求項１９の方法。
【請求項３０】  前記角度のうちの２つが、約５５〜６５度の範囲内にあり、且つ、各内側支持体が、別の平行な内側支持体から約２インチ以内にある請求項１７の方法。
【請求項３１】  前記角度のうちの２つが、約５５〜６５度の範囲内にあり、且つ、各内側支持体が、別の平行な内側支持体から約２インチ以内にある請求項１８の方法。
【請求項３２】  前記角度のうちの２つが、約５５〜６５度の範囲内にあり、且つ、各内側支持体が、別の平行な内側支持体から約２インチ以内にある請求項１９の方法。
【請求項３３】  前記角度のうちの２つが、約５５〜６５度の範囲内にあり、且つ、各内側支持体が、別の平行な内側支持体から約２インチ以内にある請求項２０の方法。
【請求項３４】  前記角度のうちの２つが、約５５〜６５度の範囲内にあり、且つ、各内側支持体が、別の平行な内側支持体から約２インチ以内にある請求項２１の方法。